(57)【要約】      （修正有）【課題】袋底部の溶着部分の破損を軽減すると共に、ポリ袋の開口部を閉じる動作に要する時間を短縮したおむつ処理袋を提供する。【解決手段】おむつ処理袋Ｋは、フィルム筒を表裏シート３，４が扁平に重合した扁平筒体２に形成し、扁平筒体２の左右縁部２ａ，２ａを内方へ折り込んで左右ガゼット５，６を形成すると共に、左右ガゼット５，６の先端縁５ａ，６ａは互いに一定幅員を保持して重合するように折り込み形成し、扁平筒体２の袋開口部８と底部９に相当する部分においては重合した表裏シート１２及び重合したガゼット７を一体熱溶着して６枚のフィルムシートの多重熱溶着部Ｔ１’を形成し、更には、袋開口部８と底部９との境を切断して形成する袋単体とし、表シート３又は裏シート４に袋開口部８を閉塞するための紐テープＳを貼付けた構成としたものである。【選択図】図１
0003195348.tif 000002
【実用新案登録請求の範囲】
【請求項１】
フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、更には、袋開口部と底部との境を切断して形成する袋単体とし、表シート又は裏シートに袋開口部を閉塞するための紐テープを貼付する構成としたおむつ処理袋。
【請求項２】
紐テープは、表シート上又は裏シート上のシート幅員中央の重合ガゼット７を除く箇所に固着される請求項１に記載のおむつ処理袋。
【請求項３】
紐テープの中途部が袋開口部を閉塞する際に基点となるように表シート又は裏シートに固着される請求項２に記載のおむつ処理袋。
【考案の詳細な説明】
【技術分野】
【０００１】
本考案は、おむつ処理袋に関する。
【背景技術】
【０００２】
従来、使用済みのおむつは、戸外では使用者が処理袋に収容して持ち帰って処理している。かかるおむつの処理袋としては、通常、ポリ袋を持参し、使用済みのおむつをつかみポリ袋の中に収容して持ち帰るという手順で処理がなされている。
【先行技術文献】
【特許文献】
【０００３】
【特許文献１】特開２００６−３３５４５５号公報
【考案の概要】
【考案が解決しようとする課題】
【０００４】
ところで、コンパクトなサイズでありながら、収容容量を確保したポリ袋としては、両側縁にガゼットを形成して、底部のガゼット部分が４枚のシートの熱溶着により構成されるようにして、袋の収容容量を増加した袋が使用されている（例えば特許文献１参照）。
しかし、ガゼット付きポリ袋は、袋の表裏シートが４枚重なったガゼットの折り込み部の溶着部分が強度的に弱いことから、このポリ袋に使用済みのおむつを収容して持ち歩いた場合に、ガゼットの折り込み部の溶着部分に孔が空いてしまい、その結果、袋内のおむつの臭いが漏れ出すことがあった。
さらに、ガゼット付きのコンパクトなポリ袋の開口部を閉じる場合には、袋の縁部を結ぶ必要があるが、袋が小さいために縁部をつまんで結ぶ動作に時間を要する必要があった。
【０００５】
この考案は、袋底部の溶着部分の破損を軽減すると共に、ポリ袋の開口部を閉じる動作に要する時間を短縮したおむつ処理袋を提供するものである。
【課題を解決するための手段】
【０００６】
請求項１に記載の考案は、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、更には、袋開口部と底部との境を切断して形成する袋単体とし、表シート又は裏シートに袋開口部を閉塞するための紐テープを貼付ける構成とした。
【０００７】
請求項２に記載の考案は、紐テープは、表シート上又は裏シート上のシート幅員中央の重合ガゼット７を除く箇所に固着される。
【０００８】
請求項３に記載の考案は、紐テープの中途部が袋開口部を閉塞する際に基点となるように表シート又は裏シートに固着される。
【考案の効果】
【０００９】
請求項１に記載の考案によれば、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、更には、袋開口部と底部との境を切断して形成する袋単体とし、表シート又は裏シートに袋開口部を閉塞するための紐テープを貼付けた構成としたことにより、袋底部の中央部は重合した表裏シートとガゼット先端の多重熱溶着部であるため全体に厚みを生起し、液漏れし難く熱溶着部の強度も向上し、特に表裏シートとガゼット同士の６枚フィルムシートの多重溶着となるために使用済みおむつの重量負荷のかかる部分において強度を増加することができる。
更には、使用済みおむつを入れたポリ袋の開口部を閉じる際に、紐テープをシート面から剥がして、ポリ袋の縁部に巻き付けることで簡単に開口部を短い時間で閉じることができる。
【００１０】
請求項２に記載の考案によれば、紐テープは、表シート上又は裏シート上のシート幅員中央の重合ガゼットを除く箇所、すなわち紐テープの貼着位置を中央からずらすことにより、底部溶着部を形成する際の熱溶着のむらを軽減し、さらに、複数のおむつ処理袋を重ねて包装した際に袋中央の厚みを軽減でき、商品としての見た目も良くなる効果が得られる。
【００１１】
請求項３に記載の考案によれば、袋開口部を閉塞する際に、紐テープをシートから剥がそうとすると紐テープの中途部が表シート又は裏シートに固着されており、この固着した部分を基点として紐テープで巻き付けて袋開口部を閉塞し易い効果がある。
【図面の簡単な説明】
【００１２】
【図１】（ａ）おむつ処理袋を示す平面図。（ｂ）図１（ａ）のＡ−Ａ断面図。（ｃ）図１（ａ）のＸ−Ｘ断面図。
【図２】おむつ処理袋に貼り付けた紐テープの使用状態を示す図。
【図３】おむつ処理袋に貼り付けた他の紐テープの使用状態を示す図。
【考案を実施するための形態】
【００１３】
この考案は、フィルム筒を表裏シートが扁平に重合した扁平筒体に形成し、扁平筒体の左右縁部を内方へ折り込んで左右ガゼットを形成すると共に、左右ガゼットの先端縁は互いに一定幅員を保持して重合するように折り込み形成し、扁平筒体の袋開口部と底部に相当する部分においては重合した表裏シート及び重合したガゼットを一体熱溶着して６枚のフィルムシートの多重熱溶着部を形成し、更には、袋開口部と底部との境を切断して形成する袋単体とし、表シート又は裏シートに袋開口部を閉塞するための紐テープを貼付ける構成としたことに関する。
【００１４】
紐テープは、表シート上又は裏シート上のシート幅員中央の重合ガゼットを除く箇所に固着されている。
【００１５】
紐テープの中途部は、袋開口部を閉塞する際に基点となるように表シート又は裏シートに固着されている。
【００１６】
［実施例］
この考案の実施例を図面に基づき詳説する。図１（ａ）は、おむつ処理袋を示す平面図であり、図１（ｂ）は、図１（ａ）のＡ−Ａ断面図であり、図１（ｃ）は、図１（ａ）のＸ−Ｘ断面図である。
【００１７】
図１に示すように、おむつ処理袋Ｋは、袋の底部９となる箇所に熱溶着された熱溶着部Ｔ１が設けられている。
【００１８】
また、おむつ処理袋Ｋは、フィルム筒を表裏シート３，４が扁平に重合した扁平筒体２に形成し、扁平筒体２の左右縁部２ａ，２ａを内方へ折り込んで左右ガゼット５，６を形成すると共に、左右ガゼット５，６の先端縁５ａ，６ａは互いに一定幅員を保持して重合するように折り込み形成している。
【００１９】
おむつ処理袋Ｋは、このような折り込まれた左右ガゼット５，６を設けることで、袋として使用する際に左右ガゼット５，６を拡げて袋に厚み方向の「まち」を形成し、内容量を拡大できると共に袋の幅員を幅狭としてコンパクト化をはかっている。
【００２０】
さらに、扁平筒体２の底部９に相当する部分は重合した表裏シート３，４及び重合したガゼット７を一体熱溶着した熱溶着部Ｔ１や多重熱溶着部Ｔ１’を形成している。なお、重合ガゼット７は、ガゼット５を構成する２枚のシートとガゼット６を構成する２枚のシートからなる４枚のシートが重合した構成であり、これに表裏シート３，４が重合して６枚のフィルムシートからなる多重熱溶着部Ｔ１’を構成している。
【００２１】
このように袋の底部９に相当する部分では重合した表裏シート３，４及び重合したガゼット７が一体熱溶着されることで、臭い漏れし難くなり底部熱溶着部Ｔ１の強度も向上して、特に底部９のガゼット５，６同士の重合溶着となるために使用済みおむつの重量負荷がかかる部分の強度を増加することができる。すなわち、底部熱溶着部Ｔ１における表シート３と重合ガゼット７と裏シート４とが重なって、シート６枚が重合して溶着された構成である。
【００２２】
すなわち、この際に袋の底部９の中央部は重合した表裏シート１２と重合したガゼット７の多重熱溶着部Ｔ１’であるためフィルムシート６枚を重合した厚みがあり、臭い漏れし難く多重熱溶着部Ｔ１’の強度も向上し、特にガゼット５，６同士の重合溶着となるために使用済みおむつＤの重量負荷がかかる部分の強度を増加することができる。
【００２３】
紐テープＳの貼着手順は、おむつ処理袋Ｋの底部熱溶着部Ｔ１を形成する前にシート表面に貼り付けており、すなわち、シート表面に紐テープＳを貼着後に底部熱溶着を行って底部熱溶着部Ｔ１を形成している。特に熱溶着する際に、袋中央の重合ガゼット７の部分は６枚のシートが重なった形態であり、仮にこの部分に紐テープＳを貼着して、熱溶着した場合には溶着のむらが生じ、さらに、複数のおむつ処理袋Ｋを重ねて包装した際にはこの袋中央部分の７枚重なった厚みにより山のように盛り上がった状態となり商品としての見た目が悪くなるものであった。
【００２４】
そこで、図１及び図２に示すように、おむつ処理袋Ｋの表シート３には、シート幅員中央の重合ガゼット７を除く箇所、すなわち、右側中途部に袋開口部８を閉塞する紐テープＳを貼付けている。
【００２５】
紐テープＳは、ペットの排泄物処理袋Ｋの幅員方向について、中央部から外れた位置、つまり多重熱溶着部Ｔ１’から外れた位置に設けられている。本実施形態では、図１（ａ）に示すように、紐テープＳは、ペットの排泄物処理袋Ｋの幅員方向について、一方の（図１（ａ）において右側の）把持部Ｈの部分において、ペットの排泄物処理袋Ｋの長手方向に全体にわたって帯状に貼設されている。
【００２６】
このように紐テープＳの貼着位置を中央からずらすことで熱溶着のむらを軽減し、さらに、複数のおむつ処理袋Ｋを重ねて包装した際に袋中央の厚みを軽減でき、商品としての見た目も良くなる効果がある。また、おむつ処理袋Ｋを複数連なった状態でロール状に巻回されたりしてパッケージングされた状態において、積層の厚さやロール状の直径が局部的に大きくなることを防止することができるので、複数のペットの排泄物処理袋Ｋがパッケージングされた状態での陳列性や収納性を向上することができる。
【００２７】
袋開口部８を閉塞する際に、先ず、図２（ｂ）に示すように、表シート３から紐テープＳを表シート３から剥がし、使用済みおむつＤを収納したのち、袋開口部８を紐テープＳで巻き付けて閉塞することができる（図２（ｃ）参照）。
【００２８】
紐テープＳは、表シート３上又は裏シート４上のシート幅員中央の重合ガゼット７を除く箇所、すなわち紐テープの貼着位置を中央からずらすことにより、底部溶着部を形成する際の熱溶着のむらを軽減し、さらに、複数のおむつ処理袋Ｋを重ねて包装した際に袋中央の厚みを軽減でき、商品としての見た目も良くなる。
【００２９】
なお、紐テープＳは、表シート３に貼付けたが、表シート３に変えて、裏シート４に貼付けるようにしてもよい。
【００３０】
また、図３に示すように、表シート３に紐テープＳのテープ中途部Ｓ１を固着するようにしてもよい。
【００３１】
すなわち、袋開口部８の近傍位置にある紐テープＳのテープ中途部Ｓ１を固着することにより、図３（ｂ）に示すように、この固着したテープ中途部Ｓ１を基点として紐テープＳで巻き付けて袋開口部８を閉塞し易くなる（図３（ｃ）参照）。
【００３２】
以上、本考案の好ましい実施の形態について説明したが、本考案は係る特定の実施形態に限定されるものではなく、特許請求の範囲に記載された本考案の要旨の範囲内において、種々の変形・変更が可能である。
【符号の説明】
【００３３】
Ｋ  おむつ処理袋
Ｄ  使用済みおむつ
Ｓ  紐テープ
Ｓ１  テープ中途部
Ｔ１  溶着部
２  扁平筒体
２ａ  縁部
３  表シート
４  裏シート
５  左ガゼット
５ａ  先端縁
６  右ガゼット
６ａ  先端縁
７  重合ガゼット
８  開口部
９  底部
１２  重合表裏シート
１３  中途部
【図１】
0003195348.tif 000003
【図２】
0003195348.tif 000004
【図３】
0003195348.tif 000005